(57)【要約】【課題】着用者又は介護者が男性器に直接触れることなく、容易かつ衛生的に、男性器に装着することができる尿吸収物品を提供する。【解決手段】採尿パッド１は、男性器を収容可能な袋部１０と、袋部１０の挿入口１０ａの近傍部分の外側に設けられた耳部２０とを有する。男性器に採尿パッド１を装着するときには、袋部１０と耳部２０との間に指を差し込んで挿入口１０ａを広げ、広げられた挿入口１０ａを介して、袋部１０の内部に男性器を挿入する。着用者又は介護者は、男性器に直接触れることなく、容易かつ衛生的に、男性器に採尿パッド１を装着することができる。【選択図】図１
2010207299.tif 000002
【特許請求の範囲】
【請求項１】
男性器に装着されて男性器から排泄される尿を吸収する尿吸収物品であって、
内側面を構成する液透過性のトップシートと、外側面を構成する液不透過性のバックシートと、前記トップシート及び前記バックシートの間に介在する吸収体とを有し、男性器を挿入する挿入口が形成された袋部と、
前記挿入口の近傍に設けられた伸縮部と、
前記袋部の前記挿入口の近傍部分の外側に設けられた耳部と、
を備え、
前記袋部と前記耳部との間に指を差し込むことが可能であることを特徴とする尿吸収物品。
【請求項２】
請求項１に記載の尿吸収物品であって、
前記袋部は、前記トップシート、前記吸収体、及び前記バックシートが積層された略長方形状の積層体を、前記トップシートが内側となるように、その長手方向に直交する折曲線で折曲し、その両側辺をシールしたものであることを特徴とする尿吸収物品。
【請求項３】
請求項２に記載の尿吸収物品であって、
前記積層体の長手方向の両端部は、前記挿入口の近傍において外側に折り返されており、
前記耳部は、前記積層体の前記両端部を含む折り返し部分であることを特徴とする尿吸収物品。
【請求項４】
請求項３に記載の尿吸収物品であって、
前記積層体は、前記吸収体の長手方向の両端部よりも端部側の部位において、外側に折り返されていることを特徴とする尿吸収物品。
【請求項５】
請求項１から請求項４までのいずれかに記載の尿吸収物品であって、
前記伸縮部は、前記耳部に設けられていることを特徴とする尿吸収物品。
【請求項６】
請求項５に記載の尿吸収物品であって、
前記伸縮部は、
複数本の第１弾性部材を、所定の間隔で配設した第１伸縮部と、
前記第１伸縮部よりも前記挿入口側において、複数本の第２弾性部材を、前記所定の間隔よりも大きい間隔で配設した第２伸縮部と、
を有することを特徴とする尿吸収物品。
【請求項７】
請求項１から請求項６までのいずれかに記載の尿吸収物品であって、
前記吸収体は、パルプ非存在の高分子吸収材料により構成されていることを特徴とする尿吸収物品。
【請求項８】
請求項１から請求項７までのいずれかに記載の尿吸収物品であって、
男性器のサイズに応じて前記袋部の前記挿入口を固定する固定部材を更に備えたことを特徴とする尿吸収物品。
【発明の詳細な説明】
【技術分野】
【０００１】
本発明は、男性器に装着されて男性器から排泄される尿を吸収する尿吸収物品に関する。
【背景技術】
【０００２】
従来、おむつや下着の内側で男性器に装着され、男性器から排泄される尿を吸収する採尿パッドが知られている。このような採尿パッドの一例として、特許文献１には、開口部を有する袋状に構成され、開口部を介して袋状体の内部に男性器を挿入するものが記載されている。
【先行技術文献】
【特許文献】
【０００３】
【特許文献１】特開２００４−１５９７２４号公報
【発明の概要】
【発明が解決しようとする課題】
【０００４】
袋状の採尿パッドを男性器に装着するときには、着用者又は介護者が、採尿パッドの開口部を広げ、採尿パッドの中に男性器を挿入しなければならない。
【０００５】
しかしながら、例えば、特許文献１に開示された採尿パッドでは、開口部を片手で広げて男性器に装着することは、困難である。また、着用者又は介護者が、男性器に触れることなく、採尿パッドを男性器に装着することも、困難である。
【０００６】
本発明は、このような事情に鑑みなされたものであり、着用者又は介護者が男性器に直接触れることなく、容易かつ衛生的に、男性器に装着することができる尿吸収物品を提供することを目的とする。
【課題を解決するための手段】
【０００７】
上記課題を解決するため、本願の第１発明は、男性器に装着されて男性器から排泄される尿を吸収する尿吸収物品であって、内側面を構成する液透過性のトップシートと、外側面を構成する液不透過性のバックシートと、前記トップシート及び前記バックシートの間に介在する吸収体とを有し、男性器を挿入する挿入口が形成された袋部と、前記挿入口の近傍に設けられた伸縮部と、前記袋部の前記挿入口の近傍部分の外側に設けられた耳部と、を備え、前記袋部と前記耳部との間に指を差し込むことが可能であることを特徴とする。
【０００８】
本願の第２発明は、第１発明の尿吸収物品であって、前記袋部は、前記トップシート、前記吸収体、及び前記バックシートが積層された略長方形状の積層体を、前記トップシートが内側となるように、その長手方向に直交する折曲線で折曲し、その両側辺をシールしたものであることを特徴とする。
【０００９】
本願の第３発明は、第２発明の尿吸収物品であって、前記積層体の長手方向の両端部は、前記挿入口の近傍において外側に折り返されており、前記耳部は、前記積層体の前記両端部を含む折り返し部分であることを特徴とする。
【００１０】
本願の第４発明は、第３発明の尿吸収物品であって、前記積層体は、前記吸収体の長手方向の両端部よりも端部側の部位において、外側に折り返されていることを特徴とする。
【００１１】
本願の第５発明は、第１発明から第４発明までのいずれかの尿吸収物品であって、前記伸縮部は、前記耳部に設けられていることを特徴とする。
【００１２】
本願の第６発明は、第５発明の尿吸収物品であって、前記伸縮部は、複数本の第１弾性部材を、所定の間隔で配設した第１伸縮部と、前記第１伸縮部よりも前記挿入口側において、複数本の第２弾性部材を、前記所定の間隔よりも大きい間隔で配設した第２伸縮部と、を有することを特徴とする。
【００１３】
本願の第７発明は、第１発明から第６発明までのいずれかの尿吸収物品であって、前記吸収体は、パルプ非存在の高分子吸収材料により構成されていることを特徴とする。
【００１４】
本願の第８発明は、第１発明から第７発明までのいずれかの尿吸収物品であって、男性器のサイズに応じて前記袋部の前記挿入口を固定する固定部材を更に備えたことを特徴とする。
【発明の効果】
【００１５】
本願の第１発明〜第８発明によれば、袋部と耳部との間に指を差し込んで挿入口を広げ、広げられた挿入口を介して、袋部の内部に男性器を挿入することができる。このため、着用者又は介護者が男性器に直接触れることなく、容易かつ衛生的に、男性器に尿吸収物品を装着することができる。
【００１６】
特に、本願の第２発明によれば、略長方形状の積層体から、袋部を容易に形成することができる。
【００１７】
特に、本願の第３発明によれば、積層体の長手方向の両端部を外側に折り返すことにより、容易に耳部を形成することができる。
【００１８】
特に、本願の第４発明によれば、挿入口の近傍部分の吸収体による嵩張りを防止し、着用時の違和感も低減させることができる。また、製造時には、積層体を容易に折り返すことができる。
【００１９】
特に、本願の第５発明によれば、袋部と耳部との間に差し込まれた指を、伸縮部により固定することができる。また、男性器と伸縮部との間に袋部が介在することとなるため、男性器に対する伸縮部の過度の締め付けが緩和される。
【００２０】
特に、本願の第６発明によれば、第１伸縮部が、比較的大きな締め付け力をもって、耳部の内側に差し込まれた指の根元側を、しっかりと固定することができる。また、第２伸縮部の締め付け力は比較的小さいため、着用者又は介護者は、耳部の奥まで指先を容易に差し込むことができ、指先を比較的自由に動かすことができる。また、第２伸縮部の締め付け力が比較的小さいことにより、挿入口近傍の肌に接する部分において、シートがより柔軟となり、肌触りがよい。また、挿入口近傍のシートが肌に沿って変形容易となるため、着用者の体にシートを密着させることができる。
【００２１】
特に、本願の第７発明によれば、吸収体を薄型に形成することができる。このため、尿吸収物品を装着したときの違和感を軽減することができる。
【００２２】
特に、本願の第８発明によれば、男性器のサイズに応じて開口部の大きさを調節し、男性器に対して尿吸収物品をしっかりと固定することができる。
【図面の簡単な説明】
【００２３】
【図１】採尿パッドの全体図である。
【図２】図１のII−II位置から見た採尿パッドの断面図である。
【図３】採尿パッドの展開図である。
【図４】固定部材を図１のIV位置から見た図である。
【図５】採尿パッドを装着するときの様子を示した断面図である。
【図６】採尿パッドを装着するときの様子を示した断面図である。
【図７】採尿パッドを装着した状態を示した斜視図である。
【図８】変形例に係る採尿パッドの全体図である。
【図９】変形例に係る採尿パッドの全体図である。
【図１０】変形例に係る採尿パッドの断面図である。
【発明を実施するための形態】
【００２４】
以下、本発明の好適な実施形態について、図面を参照しつつ説明する。
【００２５】
＜１．採尿パッドの構成＞
図１は、本発明の一実施形態に係る採尿パッド１の全体図である。また、図２は、図１のII−II位置から見た採尿パッド１の断面図である。この採尿パッド１は、男性器（ペニス）に装着されて男性器から排泄される尿を吸収する尿吸収物品である。着用者は、この採尿パッド１を装着し、その上におむつや下着を着用する。軽度の排尿であれば、おむつや下着を交換することなく、採尿パッド１のみを交換すれば済むため、着用者の経済的負担や介護者の介護負担が軽減される。
【００２６】
この採尿パッド１は、男性器を収容可能な袋部１０を有する。袋部１０には、男性器を挿入するための挿入口１０ａが形成されている。図２に示したように、袋部１０は、その内側面を構成する液透過性のトップシート３１と、外側面を構成する液不透過性のバックシート３２と、両シート３１，３２の間に介在する吸収体３３とを有する。袋部１０の内部に尿が排泄されると、当該尿は、トップシート３１を通過して、吸収体３３に吸収保持される。
【００２７】
袋部１０の挿入口１０ａの近傍部分の外側には、挿入口１０ａを広げるために、着用者又は介護者が指を差し込んで操作する耳部２０が形成されている。本実施形態では、袋部１０を構成する積層体３０の長手方向の端部を、外側へ折り返した折り返し部分が、耳部２０となっている。図２に示したように、耳部２０は、トップシート３１とバックシート３２と、両シート３１，３２の間に貼着された複数本の弾性部材３４ａ，３４ｂとを有する。
【００２８】
図３は、採尿パッド１の展開図である。採尿パッド１は、トップシート３１、吸収体３３、及びバックシート３２をこの順に積層させた、略長方形状の積層体３０から形成される。吸収体３３の長手方向の寸法は、トップシート３１及びバックシート３２の長手方向の寸法より小さく、吸収体３３の幅方向の寸法も、トップシート３１及びバックシート３２の幅方向の寸法より小さい。また、積層体３０の長手方向の両端部の近傍部分（吸収体３３より端部側の部分）には、幅方向にのびる複数本の弾性部材３４ａ，３４ｂが設けられている。
【００２９】
採尿パッド１を製造するときには、まず、積層体３０を、その長手方向の中央付近において幅方向にのびる折曲線Ｌ１を中心として、トップシート３１が内側となるように折曲する。そして、折曲された積層体３０の両側辺を、長手方向に熱シール等より封止して、袋部１０を形成する。なお、図３では、折曲後にシールされる部位３５が、ハッチングで示されている。
【００３０】
その後、吸収体３３と弾性部材３４ｂとの間において幅方向にのびる折曲線Ｌ２を中心として、積層体３０の長手方向の両端部を外側に折り返す。これにより、袋部１０の外側に耳部２０が形成され、図１及び図２の状態の採尿パッド１が得られる。
【００３１】
トップシート３１は、例えば、親水性繊維（セルロース、レーヨン、コットン等）を用いた不織布により構成される。また、トップシート３１は、疎水性繊維（ポリプロピレン、ポリエチレン、ポリエステル、ポリアミド、ナイロン等）の表面を界面活性剤により処理して液透過性とした不織布により構成されていてもよい。
【００３２】
バックシート３２は、例えば、疎水性繊維（ポリプロピレン、ポリエチレン、ポリエステル、ポリアミド、ナイロン等）を用いた撥水性の不織布により構成される。また、バックシート３２は、プラスチックフィルムや、不織布とプラスチックフィルムとの複合材料により構成されていてもよい。
【００３３】
吸収体３３は、例えば、粉砕したパルプ繊維やセルロース繊維などの親水性繊維集合層に、粒状の高分子吸収体を混合した塊を、ティッシュペーパーなどの紙シートまたは透液性不織布シートの被覆シートで被覆したものである。また、吸収体３３は、トップシート３１とバックシート３２との間に接着剤により固定された、高吸収性ポリマーのシート状吸水体であってもよい。
【００３４】
なお、吸収体３３を、パルプ非存在の高分子吸収材料により構成すれば、吸収体３３を薄型に形成することができる。このため、採尿パッド１を装着したときの違和感を軽減することができる。
【００３５】
複数本の弾性部材３４ａ，３４ｂは、トップシート３１とバックシート３２との間に、自然長よりも伸長された状態で貼着されている。このため、複数本の弾性部材３４ａ，３４ｂは、挿入口１０ａを縮めるように弾性力を発生させる。一方、採尿パッド１の着用者又は介護者は、弾性部材３４ａ，３４ｂの弾性力に抗して、挿入口１０ａを広げることができる。
【００３６】
このように、複数本の弾性部材３４ａ，３４ｂは、積層体３０の挿入口１０ａを伸縮させるための伸縮部３４（いわゆる、ギャザー）を構成する。各弾性部材３４ａ，３４ｂは、例えば、ポリウレタン糸、ポリウレタンフィルム、あるいは天然ゴムにより構成される。
【００３７】
また、図１及び図２に示したように、袋部１０の挿入口１０ａの近傍部分から耳部２０に亘るトップシート３１の表面には、開口部シート４０が貼着されている。開口部シート４０は、着用者の肌への当たりを和らげ、肌に対する刺激を低減させる役割を果たす。開口部シート４０は、例えば、比較的柔軟な繊維を用いた不織布により構成される。
【００３８】
また、図１に示したように、耳部２０に貼着された開口部シート４０の外側には、男性器のサイズに応じて挿入口１０ａを固定する固定部材５０が設けられている。固定部材５０は、開口部シート４０に基端部が貼着された基材シート５１と、基材シート５１の他端部側に設けられた雄部材５２とを有する。雄部材５２は、例えば、多数のフックを有する面ファスナーにより構成されており、開口部シート４０の表面の任意の位置に対して着脱可能となっている。
【００３９】
図４は、固定部材５０を図１のIV位置から見た図である。図４に示したように、固定部材５０の基材シート５１は、二つ折りにされた１枚の不織布シートにより構成されている。そして、不織布シートの両端部を開いた状態で、当該両端部が、開口部シート４０の表面に貼着されている。このため、着用者又は介護者が基材シート５１を引っ張ったときにも、基材シート５１が開口部シート４０から剥がれにくいものとなっている。
【００４０】
＜２．採尿パッドの装着方法＞
続いて、採尿パッド１の装着方法について、図５〜図７を参照しつつ説明する。
【００４１】
採尿パッド１を装着するときには、まず、着用者又は介護者は、採尿パッド１の袋部１０と耳部２０との間に指を差し込む。そして、差し込まれた指を、図５中の矢印の方向に開くことにより、採尿パッド１の挿入口１０ａを広げる。着用者又は介護者は、両手を使用して挿入口１０ａを広げてもよいが、例えば、片手の親指と人差し指とを、それぞれ耳部２０の内側に差し込み、当該親指と当該人差し指とを開くことにより、挿入口１０ａを広げることも可能である。
【００４２】
袋部１０と耳部２０との間に差し込まれた指は、耳部２０に設けられた複数本の弾性部材３４ａ，３４ｂにより締め付けられる。これにより、指が固定され、袋部１０と耳部２０との間から指が抜けてしまうことが、防止される。
【００４３】
特に、本実施形態の耳部２０は、７本の弾性部材３４ａを比較的小さい間隔で配設した第１伸縮部３４１と、第１伸縮部３４１より挿入口１０ａ側において、２本の弾性部材３４ｂを比較的大きい間隔で配設した第２伸縮部３４２と、を有する。このため、第１伸縮部３４１は、比較的大きな締め付け力をもって、耳部２０の内側に差し込まれた指の根元側を、しっかりと固定する。また、第２伸縮部３４２の締め付け力は比較的小さいため、着用者又は介護者は、耳部２０の奥まで指先を容易に差し込むことができ、指先を比較的自由に動かすことができる。
【００４４】
なお、第１伸縮部３４１及び第２伸縮部３４２を構成する弾性部材の数は、本実施形態の例に限定されるものではない。また、第１伸縮部３４１を構成する複数本の弾性部材３４ａに代えて、１本の平板状の弾性部材が使用されていてもよい。
【００４５】
続いて、図６のように、挿入口１０ａを広げた状態で、袋部１０を男性器にかぶせる。そして、袋部１０の内部に男性器が挿入されると、着用者又は介護者は、袋部１０と耳部２０との間から指を外す。袋部１０は、耳部２０に設けられた複数本の弾性部材３４ａ，３４ｂの収縮力により、男性器に固定される。
【００４６】
このように、耳部２０に設けられた複数本の弾性部材３４ａ，３４ｂは、袋部１０と耳部２０との間に差し込まれた指を固定する役割と、装着後に男性器に対して採尿パッド１を固定する役割と、の双方を果たす。
【００４７】
その後、着用者又は介護者は、図７に示したように、固定部材５０の雄部材５２を、開口部シート４０の適当な位置に固定する。これにより、男性器のサイズに応じて挿入口１０ａの大きさを調節し、男性器に対して採尿パッド１をしっかりと固定する。以上をもって、男性器に対する採尿パッド１の装着が完了する。
【００４８】
このように、本実施形態の採尿パッド１は、袋部１０と耳部２０との間に指を差し込んで挿入口１０ａを広げ、広げられた挿入口１０ａを介して、袋部１０の内部に男性器を挿入できるものとなっている。このため、着用者又は介護者が男性器に直接触れることなく、容易かつ衛生的に、男性器に採尿パッド１を装着することができる。
【００４９】
特に、本実施形態の採尿パッド１は、吸収体３３よりも長手方向の端部側の部位において、積層体３０が外側に折り返されている。すなわち、図３の展開図において、折曲線Ｌ２が、吸収体３３の長手方向の端部よりも端部側に位置している。このため、挿入口１０ａの近傍部分の吸収体３３による嵩張りを防止し、着用時の違和感も低減させることができる。また、製造時には、積層体３０を容易に折り返すことができる。
【００５０】
また、本実施形態の採尿パッド１では、伸縮部３４が耳部２０に設けられている。このため、袋部１０と耳部２０との間に差し込まれた指を、伸縮部によって固定することができる。また、男性器と伸縮部３４との間に袋部が介在することとなるため、男性器に対する伸縮部３４の過度の締め付けが緩和される。
【００５１】
また、本実施形態では、第１伸縮部３４１よりも挿入口１０ａ側に、第１伸縮部３４１よりも締め付け力の小さい第２伸縮部３４２が設けられている。このため、挿入口１０ａの近傍の肌に接する部分において、シートが比較的柔軟となり、肌触りがよい。また、挿入口１０ａの近傍において、シートが肌に沿って変形容易となるため、着用者の体に開口部シート４０を密着させることができる。
【００５２】
＜３．変形例＞
以上、本発明の一実施形態について説明したが、本発明は上記の実施形態に限定されるものではない。
【００５３】
上記の実施形態では、二つ折りにした積層体３０の両側辺をシールした後に、耳部２０を外側に折り返していたが、耳部２０を外側に折り返した後に、シールを行ってもよい。この場合には、図８に示した採尿パッド１Ａのように、袋部１０とともに耳部２０もシールされることとなる。
【００５４】
また、上記の実施形態では、積層体３０を外側に折り返すことにより耳部２０を形成していたが、袋部１０の外側に別体のシートを接合して、耳部２０を形成してもよい。図９は、袋部１０とは別体のシートで耳部２０を形成した採尿パッド１Ｂの全体図である。また、図１０は、当該採尿パッド１Ｂを図９のＸ−Ｘ位置から見た断面図である。
【００５５】
図９及び図１０の例では、耳部２０を構成するシートの挿入口１０ａ側の端部が、接着剤２１により袋部１０に固定されている。また、図９及び図１０の例では、耳部２０を構成するシートの両側部が、シールにより袋部１０に接合されている。このため、袋部１０と耳部２０を構成するシートとの間に、指を差し込むことが可能となっている。
【００５６】
また、図９及び図１０の例では、耳部２０を構成するシートに、弾性部材３４ａ，３４ｂが配設されている。このため、耳部２０の内側に指を差し込んだときには、弾性部材３４ａ，３４ｂにより指が固定される。このため、差し込んだ指による操作性が向上する。
【００５７】
図９及び図１０の例においても、耳部２０は、７本の弾性部材３４ａを比較的小さい間隔で配設した第１伸縮部３４１と、第１伸縮部３４１より挿入口１０ａ側において、２本の弾性部材３４ｂを比較的大きい間隔で配設した第２伸縮部３４２と、を有する。このため、第１伸縮部３４１は、比較的大きな締め付け力をもって、耳部２０の内側に差し込まれた指の根元側を、しっかりと固定することができる。また、第２伸縮部３４２の締め付け力は比較的小さいため、着用者又は介護者は、耳部２０の奥まで指先を容易に差し込むことができ、指先を比較的自由に動かすことができる。
【００５８】
また、第２伸縮部３４２の締め付け力が比較的小さいことにより、挿入口１０ａの近傍の肌に接する部分において、シートがより柔軟となり、肌触りがよい。また、挿入口１０ａの近傍のシートが肌に沿って変形容易となるため、着用者の体に開口部シート４０を密着させることができる。
【００５９】
また、上記の実施形態では、固定部材５０の雄部材５２の例として、面ファスナーを挙げたが、雄部材５２は粘着テープであってもよい。また、開口部シート４０側に、雄部材５２を着脱可能に止着するループ部材やターゲットテープが設けられていてもよい。
【００６０】
また、上記の実施形態では、長方形状の積層体３０を折曲してその両側辺をシールすることにより、袋部１０が形成されていたが、袋部１０は、必ずしも長方形状の積層体３０を折曲したものでなくてもよい。例えば、複数枚の積層体を繋ぎ合わせて、袋部１０が構成されていてもよい。
【符号の説明】
【００６１】
１，１Ａ，１Ｂ  採尿パッド
１０  袋部
１０ａ  挿入口
２０  耳部
３０  積層体
３１  トップシート
３２  バックシート
３３  吸収体
３４  伸縮部
３４１  第１伸縮部
３４２  第２伸縮部
３４ａ，３４ｂ  弾性部材
４０  開口部シート
５０  固定部材
【図１】
2010207299.tif 000003
【図２】
2010207299.tif 000004
【図３】
2010207299.tif 000005
【図４】
2010207299.tif 000006
【図５】
2010207299.tif 000007
【図６】
2010207299.tif 000008
【図７】
2010207299.tif 000009
【図８】
2010207299.tif 000010
【図９】
2010207299.tif 000011
【図１０】
2010207299.tif 000012